(57)【要約】【課題】簡単な操作で所望する番組を録画予約する。【解決手段】ＨＤＤレコーダのＭＰＵ１１は、リモコン３を介して受け付けられた操作入力に基づいて、録画予約番組を設定すると共に、設定された録画予約番組に対応し、開始日時情報及びチャンネル番号情報を含む番組情報を予約番組記憶部１２２に記録する録画予約部１１２と、リモコン３を介して受け付けられた操作入力に基づいて、予約番組記憶部１２２に格納された録画予約番組の中から１の録画予約番組を選択する番組選択部１１３と、リモコン３を介して受け付けられた操作入力に基づいて、前記１の録画予約番組の開始日時情報を予約番組記憶部１２２から読み出して、読み出された開始日時を基準として、電子番組表情報をディスプレイ２１に表示する番組表表示部１１４と、を備え、録画予約部１１２は、表示された電子番組表情報を介して、録画予約番組を設定する。【選択図】図３
2009094747.tif 000002
【特許請求の範囲】
【請求項１】
デジタル方式のテレビジョン放送を受信して、受信された映像情報をモニタに表示すると共に、記録媒体に格納可能に構成された放送記録装置であって、
予め設定された周波数帯域のデジタル方式のテレビジョン放送を受信する受信手段と、
電子番組表情報を格納する番組表記憶手段と、
予め設定された所定時間毎に、前記受信手段を介して電子番組表情報を取得し、取得した電子番組表情報を前記番組表記憶手段に記録する番組表取得手段と、
録画する旨の予約が設定された番組である録画予約番組毎に、その開始日時情報及び周波数帯域に対応するチャンネル番号情報を含む番組情報を格納する予約番組記憶手段と、
外部からの操作入力を受け付けて、受け付けられた操作入力に基づいて、前記番組表記憶手段に格納された電子番組表を介して前記録画予約番組を設定すると共に、設定された録画予約番組に対応する番組情報を予約番組記憶手段に記録する録画予約手段と、
外部からの操作入力を受け付けて、受け付けられた操作入力に基づいて、前記予約番組記憶手段に格納された録画予約番組の中から１の録画予約番組を選択する番組選択手段と、
外部からの操作入力を受け付けて、受け付けられた操作入力に基づいて、前記番組選択手段によって選択された１の録画予約番組の開始日時情報を前記予約番組記憶手段から読み出して、読み出された開始日時を基準として、電子番組表情報を前記モニタに表示する番組表表示手段と、
を備え、
前記録画予約手段は、前記番組表表示手段によって表示された電子番組表情報を介して、録画予約番組を設定することを特徴とする放送記録装置。
【請求項２】
前記番組表表示手段は、読み出された開始日時を、表示される電子番組表の開始日時とする電子番組表情報を前記モニタに表示することを特徴とする請求項１に記載の放送記録装置。
【請求項３】
前記番組表表示手段は、前記番組選択手段によって選択された１の録画予約番組のチャンネル番号情報を前記予約番組記憶手段から読み出して、読み出されたチャンネル番号を基準として、電子番組表情報を前記モニタに表示することを特徴とする請求項１又は請求項２に記載の放送記録装置。
【請求項４】
前記番組表表示手段は、読み出されたチャンネル番号を、表示される電子番組表の最小のチャンネル番号とする電子番組表情報を前記モニタに表示することを特徴とする請求項３に記載の放送記録装置。
【請求項５】
前記番組選択手段は、外部からの操作入力を受け付けて、受け付けられた操作入力に基づいて、前記予約番組記憶手段に格納された録画予約番組毎の開始日時を含む一覧表を表示する予約番組一覧画面を前記モニタに表示し、表示された予約番組一覧画面を介して、１の録画予約番組を選択することを特徴とする請求項１〜請求項４のいずれかに記載の放送記録装置。
【発明の詳細な説明】
【技術分野】
【０００１】
本発明は、デジタル方式のテレビジョン放送を受信して、受信された映像情報をモニタに表示すると共に、記録媒体に格納可能に構成された放送記録装置に関する。
【背景技術】
【０００２】
従来、テレビジョン放送を受信して、受信された映像情報を格納するＨＤＤ（Ｈａｒｄ  Ｄｉｓｋ  Ｄｒｉｖｅ）レコーダ等の放送記録装置は、ＨＤＤ等の記録媒体の大容量化に伴い、多数の番組を予約録画することが可能となっている。また、デジタル方式のテレビジョン放送では、電子番組表（ＥＰＧ：Ｅｌｅｃｔｒｏｎｉｃ  Ｐｒｏｇｒａｍ  Ｇｕｉｄｅ）情報を取得することが可能であるため、この電子番組表を介して、利便性良能に予約録画する種々の装置、方法等が提案されている。
【０００３】
例えば、表示装置に表示された電子番組表の範囲を選択するための選択手段と、選択された範囲に含まれる番組の番組名及び放送時間を含む番組情報をＥＰＧデータから抽出する番組情報抽出手段と、抽出された番組情報に基づいて、当該範囲に含まれる番組のリストを表示装置に表示させるリスト表示制御手段と、表示装置に表示されたリストにおいて番組を選択するための入力部と、選択された番組の視聴予約又は録画予約を設定する予約手段と、を備えたデジタル放送受信装置が開示されている（特許文献１参照）。
【特許文献１】特開２００７−１９５００４号公報
【発明の開示】
【発明が解決しようとする課題】
【０００４】
しかしながら、上記デジタル放送受信装置においては、表示装置に表示された電子番組表の中から録画予約を行う番組を効率的に設定することはできるものの、ユーザが録画を所望する番組が表示装置に表示された電子番組表に含まれていない場合には、ユーザが録画を所望する番組を含む電子番組表を表示装置に表示させるために、煩雑な操作を要する場合があった。
【０００５】
例えば、リモートコントローラに配設された特定のキー（例えば、日送りキー、又は、日戻しキー等）を押下することによって、ユーザが録画を所望する番組が放送される日が含まれる電子番組表を表示装置に表示させ、更に、リモートコントローラに配設された特定のキー（例えば、上下方向キー等）を押下することによって、ユーザが録画を所望する番組が放送される時刻が含まれる電子番組表を表示装置に表示させる必要があった。
【０００６】
本発明は、上記課題に鑑みてなされたものであって、簡単な操作で所望する番組を録画予約することの可能な放送記録装置を提供することを目的としている。
【課題を解決するための手段】
【０００７】
上記目的を達成するために請求項１に記載の放送記録装置は、デジタル方式のテレビジョン放送を受信して、受信された映像情報をモニタに表示すると共に、記録媒体に格納可能に構成された放送記録装置であって、予め設定された周波数帯域のデジタル方式のテレビジョン放送を受信する受信手段と、電子番組表情報を格納する番組表記憶手段と、予め設定された所定時間毎に、前記受信手段を介して電子番組表情報を取得し、取得した電子番組表情報を前記番組表記憶手段に記録する番組表取得手段と、録画する旨の予約が設定された番組である録画予約番組毎に、その開始日時情報及び周波数帯域に対応するチャンネル番号情報を含む番組情報を格納する予約番組記憶手段と、外部からの操作入力を受け付けて、受け付けられた操作入力に基づいて、前記番組表記憶手段に格納された電子番組表を介して前記録画予約番組を設定すると共に、設定された録画予約番組に対応する番組情報を予約番組記憶手段に記録する録画予約手段と、外部からの操作入力を受け付けて、受け付けられた操作入力に基づいて、前記予約番組記憶手段に格納された録画予約番組の中から１の録画予約番組を選択する番組選択手段と、外部からの操作入力を受け付けて、受け付けられた操作入力に基づいて、前記番組選択手段によって選択された１の録画予約番組の開始日時情報を前記予約番組記憶手段から読み出して、読み出された開始日時を基準として、電子番組表情報を前記モニタに表示する番組表表示手段と、を備え、前記録画予約手段が、前記番組表表示手段によって表示された電子番組表情報を介して、録画予約番組を設定することを特徴としている。
【０００８】
請求項２に記載の放送記録装置は、請求項１に記載の放送記録装置であって、前記番組表表示手段が、読み出された開始日時を、表示される電子番組表の開始日時とする電子番組表情報を前記モニタに表示することを特徴としている。
【０００９】
請求項３に記載の放送記録装置は、請求項１又は請求項２に記載の放送記録装置であって、前記番組表表示手段が、前記番組選択手段によって選択された１の録画予約番組のチャンネル番号情報を前記予約番組記憶手段から読み出して、読み出されたチャンネル番号を基準として、電子番組表情報を前記モニタに表示することを特徴としている。
【００１０】
請求項４に記載の放送記録装置は、請求項３に記載の放送記録装置であって、前記番組表表示手段が、読み出されたチャンネル番号を、表示される電子番組表の最小のチャンネル番号とする電子番組表情報を前記モニタに表示することを特徴としている。
【００１１】
請求項５に記載の放送記録装置は、請求項１〜請求項４のいずれかに記載の放送記録装置であって、前記番組選択手段が、外部からの操作入力を受け付けて、受け付けられた操作入力に基づいて、前記予約番組記憶手段に格納された録画予約番組毎の開始日時を含む一覧表を表示する予約番組一覧画面を前記モニタに表示し、表示された予約番組一覧画面を介して、１の録画予約番組を選択することを特徴としている。
【発明の効果】
【００１２】
請求項１に記載の放送記録装置によれば、予め設定された所定時間毎に、受信手段を介して電子番組表情報が取得され、取得された電子番組表情報が番組表記憶手段に記録され、外部からの操作入力が受け付けられて、受け付けられた操作入力に基づいて、番組表記憶手段に格納された電子番組表を介して、録画する旨の予約が設定された番組である録画予約番組が設定されると共に、設定された録画予約番組に対応し、開始日時情報及び周波数帯域に対応するチャンネル番号情報を含む番組情報が予約番組記憶手段に記録される。そして、外部からの操作入力が受け付けられて、受け付けられた操作入力に基づいて、予約番組記憶手段に格納された録画予約番組の中から１の録画予約番組が選択され、外部からの操作入力が受け付けられて、受け付けられた操作入力に基づいて、選択された１の録画予約番組の開始日時情報が予約番組記憶手段から読み出されて、読み出された開始日時を基準として、電子番組表情報がモニタに表示され、表示された電子番組表情報を介して、録画予約番組が設定されるため、簡単な操作で所望する番組を録画予約することができる。
【００１３】
すなわち、外部からの操作入力が受け付けられて、受け付けられた操作入力に基づいて、予約番組記憶手段に格納された録画予約番組の中から１の録画予約番組が選択され、選択された１の録画予約番組の開始日時情報が予約番組記憶手段から読み出されて、読み出された開始日時を基準として、電子番組表情報がモニタに表示され、表示された電子番組表情報を介して、録画予約番組が設定されるため、ユーザは録画予約を所望する番組が放送される日時に近い日時が開始日時である録画予約番組を選択することによって、ユーザが録画予約を所望する番組を含む電子番組表情報をモニタに表示することができ、ユーザが録画予約を所望する番組を含む電子番組表情報をモニタに表示するために煩雑な操作をする必要がない（＝モニタに表示される電子番組表の日時を変更する操作をする必要がない）ので、簡単な操作で所望する番組を録画予約することができるのである。
【００１４】
請求項２に記載の放送記録装置によれば、読み出された開始日時を、表示される電子番組表の開始日時とする電子番組表情報がモニタに表示されるため、更に簡単な操作で所望する番組を録画予約することができる。
【００１５】
すなわち、読み出された開始日時を、表示される電子番組表の開始日時とする電子番組表情報がモニタに表示されるため、ユーザは録画予約を所望する番組が放送される日時と同一日時又は直前の（例えば、モニタに表示される電子番組表に含まれる放送時間（例えば、４時間）より短い時間だけ前の）日時が開始日時である録画予約番組を選択することによって、ユーザが録画予約を所望する番組を含む電子番組表情報をモニタに表示することができ、ユーザが録画予約を所望する番組を含む電子番組表情報をモニタに表示するために煩雑な操作をする必要がない（＝モニタに表示される電子番組表の日時を変更する操作をする必要がない）ので、更に簡単な操作で所望する番組を録画予約することができる。
【００１６】
請求項３に記載の放送記録装置によれば、選択された１の録画予約番組のチャンネル番号情報が予約番組記憶手段から読み出されて、読み出されたチャンネル番号を基準として、電子番組表情報がモニタに表示されるため、更に簡単な操作で所望する番組を録画予約することができる。
【００１７】
すなわち、選択された１の録画予約番組のチャンネル番号情報が予約番組記憶手段から読み出されて、読み出されたチャンネル番号を基準として、電子番組表情報がモニタに表示されるため、ユーザは録画予約を所望する番組が放送されるチャンネル番号に近いチャンネル番号が、放送されるチャンネル番号である録画予約番組を選択することによって、ユーザが録画予約を所望する番組を含む電子番組表情報をモニタに表示することができ、ユーザが録画予約を所望する番組を含む電子番組表情報をモニタに表示するために煩雑な操作をする必要がない（＝モニタに表示される電子番組表のチャンネル番号を増減する操作をする必要がない）ので、更に簡単な操作で所望する番組を録画予約することができるのである。
【００１８】
請求項４に記載の放送記録装置によれば、読み出されたチャンネル番号を、表示される電子番組表の最小のチャンネル番号とする電子番組表情報がモニタに表示されるため、更に簡単な操作で所望する番組を録画予約することができる。
【００１９】
すなわち、読み出されたチャンネル番号を、表示される電子番組表の最小のチャンネル番号とする電子番組表情報がモニタに表示されるため、ユーザは録画予約を所望する番組が放送されるチャンネル番号と同一又は少し小さい（例えば、モニタに表示される電子番組表に含まれる放送チャンネル数（例えば、３チャンネル）よりチャンネル番号の差が小さい）チャンネル番号が、放送されるチャンネル番号である録画予約番組を選択することによって、ユーザが録画予約を所望する番組を含む電子番組表情報をモニタに表示することができ、ユーザが録画予約を所望する番組を含む電子番組表情報をモニタに表示するために煩雑な操作をする必要がない（＝モニタに表示される電子番組表のチャンネル番号を増減する操作をする必要がない）ので、更に簡単な操作で所望する番組を録画予約することができるのである。
【００２０】
請求項５に記載の放送記録装置によれば、外部からの操作入力が受け付けられて、受け付けられた操作入力に基づいて、予約番組記憶手段に格納された録画予約番組毎の開始日時を含む一覧表を表示する予約番組一覧画面がモニタに表示され、表示された予約番組一覧画面を介して、１の録画予約番組が選択されるため、更に簡単な操作で所望する番組を録画予約することができる。
【００２１】
すなわち、外部からの操作入力が受け付けられて、受け付けられた操作入力に基づいて、予約番組記憶手段に格納された録画予約番組毎の開始日時を含む一覧表を表示する予約番組一覧画面がモニタに表示され、表示された予約番組一覧画面を介して、１の録画予約番組が選択されるため、ユーザは予約番組一覧画面を介して１の録画予約番組を選択することができ、簡単な操作で１の録画予約番組を選択することができるので、更に簡単な操作で所望する番組を録画予約することができるのである。
【発明を実施するための最良の形態】
【００２２】
以下に本発明の実施形態を、図面を参照しながら説明する。図１は、本発明に係るＨＤＤレコーダの構成の一例を示すブロック図である。ＨＤＤレコーダ１（放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２３】
ＨＤＤレコーダ１は、リモコン３を介してユーザからの操作入力を受け付けて、受け付けた操作入力に基づいて、テレビジョン放送を受信し、受信した映像情報、音声情報等をＨＤＤ１９に格納するものである。また、ＨＤＤレコーダ１は、リモコン３を介してユーザからの操作入力を受け付けて、受け付けた操作入力に基づいて、ＨＤＤ１９に格納された映像情報、音声情報等を読み出して再生し、出力装置２に対して映像及び音声を出力するものである。
【００２４】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００２５】
リモコン３（録画予約手段の一部、番組選択手段の一部、及び、番組表表示手段の一部に相当する）は、ユーザからの操作入力を受け付けて、受け付けられた操作入力に対応する赤外線信号を生成して、ＨＤＤレコーダ１に対して出力するものである。
【００２６】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２７】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２８】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２９】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３０】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３１】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３２】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３３】
ＨＤＤ（Ｈａｒｄ  Ｄｉｓｋ  Ｄｒｉｖｅ）１９は、ＭＰＵ１１からの指示に従って、受信部１５を介して受信された映像情報、音声情報等の種々の情報を格納するものである。
【００３４】
次に、ＨＤＤレコーダ１が放送を受信する場合の動作について説明する。まず、送信されてきたデジタル放送波がアンテナ部１５１で受信される。操作部１４（又は、リモコン３）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３５】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３６】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３７】
図２は、リモコン３の一例を示す正面図である。リモコン３は、上下方向キー３１、左右方向キー３２、エンターキー３３、日送りキー３４、及び、日戻しキー３５、を備えている。上下方向キー３１は、ディスプレイ２１に表示された複数の選択肢の中から１の選択肢を選択する場合等に押下されるキーであって、ここでは、ディスプレイ２１に表示された番組表の時刻を変更する場合に押下されるキーである（図７参照）。
【００３８】
左右方向キー３２は、ディスプレイ２１に表示された複数の選択肢の中から１の選択肢を選択する場合等に押下されるキーであって、ここでは、ディスプレイ２１に表示された番組表のチャンネル番号を増減する場合に押下されるキーである（図７参照）。エンターキー３３は、上下方向キー３１又は左右方向キー３２によって選択された選択肢に決定する場合等に押下されるキーである。
【００３９】
日送りキー３４は、ディスプレイ２１に表示された番組表の日付を進める場合に押下されるキーである。すなわち、日送りキー３４が１回押下される度に、１日後の番組表がディスプレイ２１に表示されるものである。日戻しキー３５は、ディスプレイ２１に表示された番組表の日付を遅らせる場合に押下されるキーである。すなわち、日戻しキー３５が１回押下される度に、１日前の番組表がディスプレイ２１に表示されるものである。
【００４０】
従来のＨＤＤレコーダ等の放送記録装置においては、ディスプレイ２１に表示する番組表の日付を変更するために、日送りキー３４又は日戻しキー３５を押下していた。例えば、現在ディスプレイ２１に表示されている番組表を基準として、４日後の番組表を表示させるためには、日送りキー３４を４回押下する必要があり、煩雑であった。また、ディスプレイ２１に表示された番組表の時刻を変更する場合には、上下方向キー３１を押下する必要があり、更に、ディスプレイ２１に表示された番組表のチャンネル番号を増減する場合には、左右方向キー３２を押下する必要があったため、更に煩雑であった。
【００４１】
図３は、本発明に係るＨＤＤレコーダ１における主要部の構成の一例を示すブロック図である。ＭＰＵ１１は、機能的に、番組表取得部１１１、録画予約部１１２、番組選択部１１３、及び、番組表表示部１１４を備え、ＲＡＭ１２は、番組表記憶部１２１、及び、予約番組記憶部１２２を備えている。
【００４２】
ここでは、ＭＰＵ１１が、図１に示すＲＯＭ１３等に予め格納された制御プログラムを読み出して実行することにより、番組表取得部１１１、録画予約部１１２、番組選択部１１３、番組表表示部１１４等の機能部として機能すると共に、ＲＡＭ１２を、番組表記憶部１２１、予約番組記憶部１２２等の機能部として機能させるものである。
【００４３】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４４】
番組表記憶部１２１（番組表記憶手段に相当する）は、電子番組表（＝ＥＰＧ：Ｅｌｅｃｔｒｏｎｉｃ  Ｐｒｏｇｒａｍ  Ｇｕｉｄｅ）情報を格納するものである。番組表記憶部１２１に格納される電子番組表情報は、番組表取得部１１１によって記録され（＝書き込まれ）、番組表表示部１１４によって読み出されるものである。なお、電子番組表情報には、番組毎に、放送が開始される日時を示す開始日時情報及び周波数帯域に対応するチャンネル番号情報等の番組情報が含まれている。
【００４５】
予約番組記憶部１２２（予約番組記憶手段に相当する）は、録画する旨の予約が設定された番組である録画予約番組毎に、その開始日時情報及び周波数帯域に対応するチャンネル番号情報を含む番組情報を格納するものである。予約番組記憶部１２２に格納される番組情報は、録画予約部１１２によって記録され（＝書き込まれ）、番組選択部１１３によって読み出されるものである。
【００４６】
番組表取得部１１１（番組表取得手段に相当する）は、予め設定された所定時間（例えば、５秒）毎に、受信部１５を介して電子番組表情報を取得し、取得した電子番組表情報を番組表記憶部１２１に記録するものである。
【００４７】
録画予約部１１２（録画予約手段の一部に相当する）は、リモコン３を介してユーザからの操作入力を受け付けて、受け付けられた操作入力に基づいて、番組表記憶部１２１に格納された電子番組表を介して、録画予約番組（＝録画する旨の予約が設定された番組）を設定すると共に、設定された録画予約番組に対応する番組情報を、番組表記憶部１２１から読み出して、予約番組記憶部１２２に記録する（＝書き込む）ものである。
【００４８】
また、録画予約部１１２は、番組表表示部１１４によってディスプレイ２１に表示された電子番組表情報（図７参照）を介して、録画予約番組を設定するものである。
【００４９】
番組選択部１１３（番組選択手段の一部に相当する）は、リモコン３を介してユーザからの操作入力を受け付けて、受け付けられた操作入力に基づいて、予約番組記憶部１２２に格納された録画予約番組の中から１の録画予約番組を選択するものである。
【００５０】
具体的には、番組選択部１１３は、リモコン３を介してユーザからの操作入力を受け付けて、受け付けられた操作入力に基づいて、予約番組記憶部１２２に格納された録画予約番組毎の開始日時を含む一覧表を表示する予約番組一覧画面４００（図６（ａ）参照）をディスプレイ２１に表示し、表示された予約番組一覧画面４００を介して、１の録画予約番組を選択するものである。
【００５１】
番組表表示部１１４（番組表表示手段の一部に相当する）は、リモコン３を介してユーザからの操作入力を受け付けて、受け付けられた操作入力に基づいて、番組選択部１１３によって選択された１の録画予約番組の開始日時情報を予約番組記憶部１２２から読み出して、読み出された開始日時を基準として、番組表記憶部１２１に格納された電子番組表情報を読み出してディスプレイ２１に表示するものである。
【００５２】
ここでは、番組表表示部１１４は、番組選択部１１３によって選択された１の録画予約番組の開始日時情報を予約番組記憶部１２２から読み出して、読み出された開始日時（例えば、７月１０日午後１０時）を、表示される電子番組表の開始日時とする電子番組表情報をディスプレイ２１に表示するものである（図６、図７参照）。
【００５３】
また、番組表表示部１１４は、番組選択部１１３によって選択された１の録画予約番組のチャンネル番号情報を予約番組記憶部１２２から読み出して、読み出されたチャンネル番号を基準として、電子番組表情報をディスプレイ２１に表示するものである。
【００５４】
ここでは、番組表表示部１１４は、番組選択部１１３によって選択された１の録画予約番組のチャンネル番号情報を予約番組記憶部１２２から読み出して、読み出されたチャンネル番号（例えば、チャンネル番号＝「４」）を、表示される電子番組表の最小のチャンネル番号とする電子番組表情報をディスプレイ２１に表示するものである（図６、図７参照）。
【００５５】
図４、図５は、ＨＤＤレコーダ１（主にＭＰＵ１１）の動作の一例を示すフローチャートである。なお、ここでは、便宜上、番組表取得部１１１によって予め電子番組表情報が番組表記憶部１２１に格納されており、録画予約部１１２によって予め複数の録画予約番組に対応する番組情報が予約番組記憶部１２２に格納されている場合について説明する。まず、図４に示すように、番組選択部１１３によって、予約番組一覧画面４００（図６（ａ）参照）をディスプレイ２１に表示する旨の操作入力が受け付けられたか否かの判定が行われる（Ｓ１０１）。
【００５６】
予約番組一覧画面４００を表示する旨の操作入力が受け付けられていないと判定された場合（Ｓ１０１でＮＯ）には、処理が待機状態とされる。予約番組一覧画面４００を表示する旨の操作入力が受け付けられたと判定された場合（Ｓ１０１でＹＥＳ）には、番組選択部１１３によって、予約番組一覧画面４００（図６（ａ）参照）がディスプレイ２１に表示される（Ｓ１０３）。そして、番組選択部１１３によって、予約番組一覧画面４００を介して、予約番組記憶部１２２に格納された録画予約番組の中から１の録画予約番組を選択する旨の操作入力が受け付けられたか否かの判定が行われる（Ｓ１０５）。
【００５７】
１の録画予約番組を選択する旨の操作入力が受け付けられていないと判定された場合（Ｓ１０５でＮＯ）には、処理が待機状態とされる。１の録画予約番組を選択する旨の操作入力が受け付けられたと判定された場合（Ｓ１０５でＹＥＳ）には、番組表表示部１１４によって、電子番組表情報をディスプレイ２１に表示する旨の操作入力が受け付けられたか否かの判定が行われる（Ｓ１０７）。
【００５８】
電子番組表情報をディスプレイ２１に表示する旨の操作入力が受け付けられていないと判定された場合（Ｓ１０７でＮＯ）には、他の処理（ここでは、詳細変更処理、タイトル変更処理、又は、消去処理：図６（ｂ）参照）が実行される。電子番組表情報をディスプレイ２１に表示する旨の操作入力が受け付けられたと判定された場合（Ｓ１０７でＹＥＳ）には、図５に示すように、番組表表示部１１４によって、ステップＳ１０５において選択された１の録画予約番組の開始日時情報が予約番組記憶部１２２から読み出される（Ｓ１１１）。そして、番組表表示部１１４によって、ステップＳ１０５において選択された１の録画予約番組のチャンネル番号情報が予約番組記憶部１２２から読み出される（Ｓ１１３）。
【００５９】
次いで、番組表表示部１１４によって、ステップＳ１１１及びステップＳ１１３において読み出された開始日時情報及びチャンネル番号情報を基準として電子番組表情報がディスプレイ２１に表示される（Ｓ１１５）。次に、録画予約部１１２によって、ステップＳ１１５において表示された電子番組表情報を介して録画予約番組の設定が受け付けられたか否かの判定が行われる（Ｓ１１７）。録画予約番組の設定が受け付けられていないと判定された場合（Ｓ１１７でＮＯ）には、処理が待機状態とされる。録画予約番組の設定が受け付けられたと判定された場合（Ｓ１１７でＹＥＳ）には、録画予約部１１２によって、ステップＳ１１７で設定された録画予約番組に対応する番組情報が予約番組記憶部１２２に記録され（Ｓ１１９）、処理が終了される。
【００６０】
図６（ａ）は、図４に示すフローチャートのステップＳ１０３においてディスプレイ２１に表示される予約番組一覧画面４００の一例を示す画面図である。予約番組一覧画面４００には、画面略中央部に、録画予約番組表示部４０１が表示されている。録画予約番組表示部４０１は、録画する旨の予約が設定された番組である録画予約番組の番組情報を、番組毎に選択可能に表示するものであって、左側から順に、チャンネル番号表示部４０１ａ、月日表示部４０１ｂ、及び、時刻表示部４０１ｃが表示されている。
【００６１】
チャンネル番号表示部４０１ａは、録画予約番組が放送される放送波の周波数帯域に対応するチャンネル番号情報を表示するものである。月日表示部４０１ｂは、録画予約番組が放送される月日情報を表示するものである。時刻表示部４０１ｃは、録画予約番組が放送される開始時刻情報及び終了時刻情報を表示するものである。
【００６２】
また、録画予約番組表示部４０１に表示された録画予約番組の内、選択状態とされている録画予約番組に対応する行（ここでは、第１行）には、選択状態表示マーク４０２が表示されている。選択状態表示マーク４０２は、選択状態であることを示すマーク（ここでは、太枠及び斜線）であって、ユーザは、図２に示す上下方向キー３１を押下することによって、選択状態表示マーク４０２を、選択を所望する録画予約番組に対応する位置に移動させ、選択状態とされている録画予約番組を変更する（＝選択を所望する録画予約番組を選択状態とする）ことができる。
【００６３】
図６（ｂ）は、図４に示すフローチャートのステップＳ１０７においてディスプレイ２１に表示される処理選択画面４１０の一例を示す画面図である。処理選択画面４１０には、画面略中央部に、処理項目表示部４１１が、図６（ａ）に示す予約番組一覧画面４００上にポップアップした状態で表示されている。
【００６４】
処理項目表示部４１１は、図６（ａ）に示す予約番組一覧画面４００において選択された録画予約番組情報に関して実行可能な処理の名称を表示するものであって、ここでは、上側から順に、詳細変更選択部４１１ａ、タイトル変更選択部４１１ｂ、番組表選択部４１１ｃ、及び、消去選択部４１１ｄが表示されている。詳細変更選択部４１１ａは、録画予約番組情報の一部（例えば、開始時刻情報等）を変更する場合に選択されるものである。タイトル変更選択部４１１ｂは、録画予約番組情報の番組名称情報を変更する場合に選択されるものである。番組表選択部４１１ｃは、録画予約番組の開始日時及びチャンネル番号を基準として、電子番組表情報をディスプレイ２１に表示する場合に選択されるものである。消去選択部４１１ｄは、録画予約番組情報を消去する場合に選択されるものである。
【００６５】
また、処理項目表示部４１１に表示された実行可能な処理の名称の内、選択状態とされている処理に対応する箇所（ここでは、番組表選択部４１１ｃ）には、選択状態表示マーク４１２が表示されている。選択状態表示マーク４１２は、選択状態であることを示すマーク（ここでは、太枠及び斜線）であって、ユーザは、図２に示す上下方向キー３１を押下することによって、選択状態表示マーク４１２を、選択を所望する処理に対応する位置に移動させ、選択状態とされている処理を変更することができる。
【００６６】
図７は、図５に示すフローチャートのステップＳ１１５においてディスプレイ２１に表示される番組表表示画面４２０の一例を示す画面図である。番組表表示画面４２０は、図６（ａ）に示す予約番組一覧画面４００が選択状態とされ、例えば、図２に示すエンターキー３３が押下された場合にディスプレイ２１に表示され、図６（ａ）に示す予約番組一覧画面４００を介して選択された１の録画予約番組の開始日時（ここでは、７月１０日ＰＭ１０時）及びチャンネル番号（ここでは、「４」）を基準として、電子番組表情報を表示するものである。
【００６７】
番組表表示画面４２０には、画面上部に、番組詳細情報表示部４２１が表示され、番組詳細情報表示部４２１の下方に番組表表示部４２２が表示され、番組表表示部４２２の左側に時刻表示部４２３が表示され、及び、番組表表示部４２２の下側に日付表示部４２４が表示されている。番組詳細情報表示部４２１は、選択状態とされている番組（ここでは、番組Ａ１）の詳細情報を表示するものである。
【００６８】
番組表表示部４２２は、図６（ａ）に示す予約番組一覧画面４００を介して選択された１の録画予約番組の開始日時（ここでは、７月１０日ＰＭ１０時）及びチャンネル番号（ここでは、「４」）を基準とする電子番組表情報を表示するものである。ここでは、番組表表示部４２２は、図６（ａ）に示す予約番組一覧画面４００を介して選択された１の録画予約番組の開始日時（ここでは、７月１０日ＰＭ１０時）を開始日時（＝電子番組表の上端の日時）とし、選択された１の録画予約番組のチャンネル番号（ここでは、「４」）を最小のチャンネル番号（＝電子番組表の左端のチャンネル番号）とする電子番組表情報を表示するものである。
【００６９】
また、番組表表示部４２２には、選択状態とされている番組（ここでは、番組Ａ１）を示す選択状態表示マーク４２５が表示されている。選択状態表示マーク４２５は、選択状態であることを示すマーク（ここでは、太枠及び斜線）であって、ユーザは、図２に示す上下方向キー３１又は左右方向キー３２を押下することによって、選択状態表示マーク４２５を、選択を所望する番組に対応する位置に移動させ、選択状態とされている番組を変更することができる。なお、上下方向キー３１を押下することによって、選択状態とされている番組の時刻を変更することができ、左右方向キー３２を押下することによって、選択状態とされている番組のチャンネル番号を変更することができる。また、選択状態とされている番組は、例えば、図２に示すエンターキー３３が押下された場合に録画予約番組として設定される。
【００７０】
時刻表示部４２３は、番組表表示部４２２に対応する時間軸（ここでは、上端がＰＭ１０時、下端がＡＭ２時）を表示するものである。日付表示部４２４は、番組表表示部４２２に表示されている番組表の日付情報を表示するものである。日付表示部４２４には、選択状態とされている日付（ここでは、１０日）を示す選択状態表示マーク４２６が表示されている。
【００７１】
このようにして、予め設定された所定時間（ここでは、５秒）毎に、受信部１５を介して電子番組表情報が取得され、取得された電子番組表情報が番組表記憶部１２１に記録され、リモコン３を介してユーザからの操作入力が受け付けられて、受け付けられた操作入力に基づいて、番組表記憶部１２１に格納された電子番組表を介して、録画する旨の予約が設定された番組である録画予約番組が設定されると共に、設定された録画予約番組に対応し、開始日時情報及び周波数帯域に対応するチャンネル番号情報を含む番組情報が予約番組記憶部１２２に記録される。そして、リモコン３を介してユーザからの操作入力が受け付けられて、受け付けられた操作入力に基づいて、予約番組記憶部１２２に格納された録画予約番組の中から１の録画予約番組が選択され、リモコン３を介してユーザからの操作入力が受け付けられて、受け付けられた操作入力に基づいて、選択された１の録画予約番組の開始日時情報が予約番組記憶部１２２から読み出されて、読み出された開始日時を基準として、電子番組表情報がディスプレイ２１に表示され、表示された電子番組表情報を介して、録画予約番組が設定されるため、簡単な操作で所望する番組を録画予約することができる。
【００７２】
すなわち、リモコン３を介してユーザからの操作入力が受け付けられて、受け付けられた操作入力に基づいて、予約番組記憶部１２２に格納された録画予約番組の中から１の録画予約番組が選択され、選択された１の録画予約番組の開始日時情報が予約番組記憶部１２２から読み出されて、読み出された開始日時を基準として、電子番組表情報がディスプレイ２１に表示され、表示された電子番組表情報を介して、録画予約番組が設定されるため、ユーザは録画予約を所望する番組が放送される日時に近い日時が開始日時（例えば、１０日ＰＭ１０時）である録画予約番組を選択する（図６（ａ）参照）ことによって、ユーザが録画予約を所望する番組を含む電子番組表情報をディスプレイ２１に表示することができ、ユーザが録画予約を所望する番組を含む電子番組表情報をディスプレイ２１に表示するために煩雑な操作をする必要がない（＝ディスプレイ２１に表示される電子番組表の日時を変更する操作をする必要がない）ので、簡単な操作で所望する番組を録画予約することができるのである。
【００７３】
また、読み出された開始日時を、表示される電子番組表の開始日時（ここでは、１０日ＰＭ１０時）とする電子番組表情報がディスプレイ２１に表示される（図７参照）ため、更に簡単な操作で所望する番組を録画予約することができる。
【００７４】
すなわち、読み出された開始日時を、表示される電子番組表の開始日時（ここでは、１０日ＰＭ１０時）とする電子番組表情報がディスプレイ２１に表示されるため、ユーザは録画予約を所望する番組が放送される日時と同一日時又は直前の（例えば、ディスプレイ２１に表示される電子番組表に含まれる放送時間（ここでは、４時間）より短い時間だけ前の）日時が開始日時である録画予約番組を選択することによって、ユーザが録画予約を所望する番組を含む電子番組表情報をディスプレイ２１に表示することができ、ユーザが録画予約を所望する番組を含む電子番組表情報をディスプレイ２１に表示するために煩雑な操作をする必要がない（＝ディスプレイ２１に表示される電子番組表の日時を変更する操作をする必要がない）ので、更に簡単な操作で所望する番組を録画予約することができる。
【００７５】
更に、選択された１の録画予約番組のチャンネル番号情報（ここでは、チャンネル番号＝「４」）が予約番組記憶部１２２から読み出されて、読み出されたチャンネル番号を基準として、電子番組表情報がディスプレイ２１に表示される（図７参照）ため、更に簡単な操作で所望する番組を録画予約することができる。
【００７６】
すなわち、選択された１の録画予約番組のチャンネル番号情報（ここでは、チャンネル番号＝「４」）が予約番組記憶部１２２から読み出されて、読み出されたチャンネル番号を基準として、電子番組表情報がディスプレイ２１に表示される（図７参照）ため、ユーザは録画予約を所望する番組が放送されるチャンネル番号に近いチャンネル番号が、放送されるチャンネル番号である録画予約番組を選択することによって、ユーザが録画予約を所望する番組を含む電子番組表情報をディスプレイ２１に表示することができ、ユーザが録画予約を所望する番組を含む電子番組表情報をディスプレイ２１に表示するために煩雑な操作をする必要がない（＝ディスプレイ２１に表示される電子番組表のチャンネル番号を増減する操作をする必要がない）ので、更に簡単な操作で所望する番組を録画予約することができるのである。
【００７７】
加えて、読み出されたチャンネル番号（ここでは、チャンネル番号＝「４」）を、表示される電子番組表の最小のチャンネル番号とする電子番組表情報がディスプレイ２１に表示される（図７参照）ため、更に簡単な操作で所望する番組を録画予約することができる。
【００７８】
すなわち、読み出されたチャンネル番号（ここでは、チャンネル番号＝「４」）を、表示される電子番組表の最小のチャンネル番号とする電子番組表情報がディスプレイ２１に表示される（図７参照）ため、ユーザは録画予約を所望する番組が放送されるチャンネル番号と同一又は少し小さい（例えば、ディスプレイ２１に表示される電子番組表に含まれる放送チャンネル数（ここでは、３チャンネル）よりチャンネル番号の差が小さい）チャンネル番号が、放送されるチャンネル番号である録画予約番組を選択することによって、ユーザが録画予約を所望する番組を含む電子番組表情報をディスプレイ２１に表示することができ、ユーザが録画予約を所望する番組を含む電子番組表情報をディスプレイ２１に表示するために煩雑な操作をする必要がない（＝ディスプレイ２１に表示される電子番組表のチャンネル番号を増減する操作をする必要がない）ので、更に簡単な操作で所望する番組を録画予約することができるのである。
【００７９】
また、リモコン３を介してユーザからの操作入力が受け付けられて、受け付けられた操作入力に基づいて、予約番組記憶部１２２に格納された録画予約番組毎の開始日時を含む一覧表を表示する予約番組一覧画面４００（図６（ａ）参照）がディスプレイ２１に表示され、表示された予約番組一覧画面４００を介して、１の録画予約番組が選択されるため、更に簡単な操作で所望する番組を録画予約することができる。
【００８０】
すなわち、外部からの操作入力が受け付けられて、受け付けられた操作入力に基づいて、予約番組記憶手段に格納された録画予約番組毎の開始日時を含む一覧表を表示する予約番組一覧画面４００（図６（ａ）参照）がディスプレイ２１に表示され、表示された予約番組一覧画面４００を介して、１の録画予約番組が選択されるため、ユーザは予約番組一覧画面４００を介して１の録画予約番組を選択することができ、簡単な操作で１の録画予約番組を選択することができるので、更に簡単な操作で所望する番組を録画予約することができるのである。
【００８１】
なお、本発明は、以下の形態にも適用可能である。
（Ａ）本実施形態では、放送記録装置が、デジタル放送を受信してＨＤＤ１９に格納可能に構成されたＨＤＤレコーダ１である場合について説明したが、放送記録装置が、デジタル方式のテレビジョン放送を受信して、受信された映像情報をモニタに表示すると共に、記録媒体に格納可能に構成された装置であれば良い。例えば、放送記録装置が、ＤＶＤレコーダ、ビデオテープレコーダ等である形態でも良い。
【００８２】
（Ｂ）本実施形態では、ＭＰＵ１１が番組表取得部１１１、録画予約部１１２、番組選択部１１３、番組表表示部１１４等の機能部を備える場合について説明したが、番組表取得部１１１、録画予約部１１２、番組選択部１１３、及び、番組表表示部１１４の内、少なくとも１の機能部が回路等のハードウェアによって実現されている形態でも良い。
【００８３】
（Ｃ）本実施形態では、録画予約部１１２、番組選択部１１３、及び、番組表表示部１１４が、リモコン３を介してユーザからの操作入力を受け付ける場合について説明したが、録画予約部１１２、番組選択部１１３、及び、番組表表示部１１４の内、少なくとも１の機能部が、図１に示す操作部１４を介してユーザからの操作入力を受け付ける形態でも良い。
【００８４】
（Ｄ）本実施形態では、番組表表示部１１４が、番組選択部１１３によって選択された１の録画予約番組の開始日時（ここでは、７月１０日午後１０時）を、表示される電子番組表の開始日時とする電子番組表情報を表示する場合について説明したが、番組表表示部１１４が、１の録画予約番組の開始日時を基準として電子番組表情報を表示する形態であれば良い。例えば、番組表表示部１１４が、番組選択部１１３によって選択された１の録画予約番組の開始日時を、表示される電子番組表の中央の日時とする電子番組表情報を表示する形態でも良い。
【００８５】
（Ｅ）本実施形態では、番組表表示部１１４が、番組選択部１１３によって選択された１の録画予約番組のチャンネル番号（ここでは、チャンネル番号＝「４」）を、表示される電子番組表の最小のチャンネル番号とする電子番組表情報を表示する場合について説明したが、番組表表示部１１４が、番組選択部１１３によって選択された１の録画予約番組のチャンネル番号を基準として電子番組表情報を表示する形態であれば良い。例えば、番組表表示部１１４が、番組選択部１１３によって選択された１の録画予約番組のチャンネル番号を、表示される電子番組表の中央のチャンネル番号とする電子番組表情報を表示する形態でも良いし、番組表表示部１１４が、番組選択部１１３によって選択された１の録画予約番組のチャンネル番号を、表示される電子番組表の最大のチャンネル番号とする電子番組表情報を表示する形態でも良い。
【図面の簡単な説明】
【００８６】
【図１】は、本発明に係るＨＤＤレコーダの構成の一例を示すブロック図である。
【図２】は、リモコンの一例を示す正面図である。
【図３】は、本発明に係るＨＤＤレコーダにおける主要部の構成の一例を示すブロック図である。
【図４】は、ＨＤＤレコーダ（主にＭＰＵ）の動作の一例を示すフローチャート（前半部）である。
【図５】は、ＨＤＤレコーダ（主にＭＰＵ）の動作の一例を示すフローチャート（後半部）である。
【図６】は、図４に示すフローチャートのステップＳ１０３及びステップＳ１０７においてそれぞれディスプレイに表示される予約番組一覧画面及び処理選択画面の一例を示す画面図である。
【図７】は、図５に示すフローチャートのステップＳ１１５においてディスプレイに表示される番組表表示画面の一例を示す画面図である。
【符号の説明】
【００８７】
１    ＨＤＤレコーダ（放送記録装置）
１１    ＭＰＵ
１１１    番組表取得部（番組表取得手段）
１１２    録画予約部（録画予約手段の一部）
１１３    番組選択部（番組選択手段の一部）
１１４    番組表表示部（番組表表示手段の一部）
１２    ＲＡＭ
１２１    番組表記憶部（番組表記憶手段）
１２２    予約番組記憶部（予約番組記憶手段）
１５    受信部（受信手段）
１９    ＨＤＤ（記録媒体）
２    出力装置
２１    ディスプレイ（モニタ）
３    リモコン（録画予約手段の一部、番組選択手段の一部、及び、番組表表示手段の一部）
【図１】
2009094747.tif 000003
【図２】
2009094747.tif 000004
【図３】
2009094747.tif 000005
【図４】
2009094747.tif 000006
【図５】
2009094747.tif 000007
【図６】
2009094747.tif 000008
【図７】
2009094747.tif 000009